(57)【要約】【課題】カメラの撮影動作条件の細かな設定を容易に行えるようにする。【解決手段】デジタルカメラ１に備えられている機能を選択する機能選択部（６、７、８、９、１０）と、該機能を動作させるときの動作方式を選択する動作方式選択部１１とが同時に操作されたときには、機能選択部（６、７、８、９、１０）に対してなされた操作に応じて選択される該機能を動作させるときの動作方式の選択を動作方式選択部１１に対してなされた操作に応じて行う。機能選択部（６、７、８、９、１０）と、該機能を動作させる該動作方式における動作条件を設定する動作条件設定部（１２、１３、１４）とが同時に操作されたときには、機能選択部（６、７、８、９、１０）に対してなされた操作に応じて選択される該機能についてそのときに選択がされていた該動作方式についての該動作条件の設定を動作条件設定部（１２、１３、１４）に対する操作に応じて行う。【選択図】　　　　図１
2004080478.tif 000002
【特許請求の範囲】
【請求項１】
被写体像を撮像して該被写体像が表現されている画像を記録するカメラであって、
前記カメラに備えられている機能毎に対応付けて個別に設けられ、該機能の選択をするために操作される機能選択手段と、
前記機能を動作させるときの動作方式の選択のために操作される動作方式選択手段と、
前記機能を動作させるときの動作方式における動作条件の設定のために操作される動作条件設定手段と、
前記機能選択手段と前記動作方式選択手段とが同時に操作されたときに、該機能選択手段に対してなされた操作に応じて選択される前記機能を動作させるときの動作方式の選択を該動作方式選択手段に対してなされた操作に応じて行う動作方式選択制御手段と、
前記機能選択手段と前記動作条件設定手段とが同時に操作されたときに、該機能選択手段に対してなされた操作に応じて選択される前記機能についてそのときに選択がされていた前記動作方式についての前記動作条件の設定を該動作条件設定手段に対する操作に応じて行う動作条件設定制御手段と、
を有することを特徴とするカメラ。
【請求項２】
前記機能選択手段と前記動作方式選択手段とが同時に操作されたときに、該機能選択手段に対してなされた操作に応じて選択される前記機能を動作させるときの動作方式であって該機能において選択可能な該動作方式のみの一覧を示す画面を表示する動作方式選択画面表示手段を更に有することを特徴とする請求項１に記載のカメラ。
【請求項３】
前記機能選択手段と前記動作条件設定手段とが同時に操作されたときに、該機能選択手段に対してなされた操作に応じて選択される前記機能についてそのときに選択がされていた前記動作方式についての前記動作条件であって該動作方式において設定可能な該動作条件の項目のみの一覧を示す画面を表示する動作条件設定画面表示手段を更に有することを特徴とする請求項１または２に記載のカメラ。
【請求項４】
前記機能選択手段は、前記カメラを使用して撮影を行うために該カメラを構えた撮影者から見て該カメラの筐体における左側部近傍に設置され、
前記動作方式選択手段または前記動作条件設定手段は、前記撮影者から見て前記カメラの筐体における右側部近傍に設置される、
ことを特徴とする請求項１から３までのうちのいずれか一項に記載のカメラ。
【請求項５】
被写体像を撮像して該被写体像が表現されている画像を記録するカメラにおいて、
前記カメラに備えられている機能毎に対応付けて個別に設けられている機能選択部であって該機能の選択をするために操作される該機能選択部と、該機能を動作させるときの動作方式の選択のために操作される動作方式選択部とが同時に操作されたときには、該機能選択部に対してなされた操作に応じて選択される該機能を動作させるときの動作方式の選択を該動作方式選択部に対してなされた操作に応じて行い、
前記機能選択部と、前記機能を動作させるときの動作方式における動作条件の設定のために操作される動作条件設定部とが同時に操作されたときには、該機能選択部に対してなされた操作に応じて選択される該機能についてそのときに選択がされていた該動作方式についての該動作条件の設定を該動作条件設定部に対する操作に応じて行う、
ことを特徴とするカメラの制御方法。
【請求項６】
被写体像を撮像して該被写体像が表現されている画像を記録するカメラであって、
前記カメラに備えられている機能毎に対応付けて個別に設けられ、該機能の選択をするために操作される機能選択手段と、
前記機能選択手段が単独で繰り返し操作されたときに、該機能選択手段に対してなされた操作に応じて選択される前記機能を動作させるときの動作方式の選択を該機能選択手段に対してなされた操作の繰り返しに応じて行う動作方式選択制御手段と、
前記機能を動作させるときの動作方式における動作条件の設定のために操作される動作条件設定手段と、
前記機能選択手段と前記動作条件設定手段とが同時に操作されたときに、該機能選択手段に対してなされた操作に応じて選択される前記機能についてそのときに選択がされていた前記動作方式についての前記動作条件の設定を該動作条件設定手段に対する操作に応じて行う動作条件設定制御手段と、
を有することを特徴とするカメラ。
【請求項７】
被写体像を撮像して該被写体像が表現されている画像を記録するカメラにおいて、
前記カメラに備えられている機能毎に対応付けて個別に設けられ、該機能の選択をするために操作される機能選択部が単独で繰り返し操作されたときには、該機能選択部に対してなされた操作に応じて選択される該機能を動作させるときの動作方式の選択を該機能選択部に対してなされた操作の繰り返しに応じて行い、前記機能選択部と、前記機能を動作させるときの動作方式における動作条件の設定のために操作される動作条件設定部とが同時に操作されたときには、該機能選択部に対してなされた操作に応じて選択される該機能についてそのときに選択がされていた該動作方式についての該動作条件の設定を該動作条件設定部に対する操作に応じて行う、
ことを特徴とするカメラの制御方法。
【請求項８】
前記機能選択手段と前記動作条件設定手段とが同時に操作されたときに、該機能選択手段に対してなされた操作に応じて選択される前記機能についての前記動作方式の各々において設定可能な前記動作条件の項目の一覧を示す画面を表示する動作条件設定画面表示手段を更に有することを特徴とする請求項１、２、４、及び６のうちのいずれか一項に記載のカメラ。
【発明の詳細な説明】
【０００１】
【発明の属する技術分野】
本発明は、被写体像を撮像して該被写体像が表現されている画像を記録するカメラで実施される技術に関し、特にカメラに備えられている機能を利用するときの操作性を向上させる技術に関する。
【０００２】
【従来の技術】
昨今のカメラでは、各種の撮影動作条件の設定を行うユーザの作業負担を軽減するため、カメラ自身で自動的に撮影動作条件の設定を行わせるいわゆるオート撮影機能を有しているものが多い。しかしその一方で、カメラ自身による撮影動作条件の自動設定での撮影に不満を抱くユーザも少なくない。
【０００３】
このような不満を和らげるため、撮影動作条件の細かな設定をユーザ自身が行えるようにして、ユーザの好みの画質での撮影を行えるようにしているカメラも多く提供されている。とりわけデジタルカメラではカメラ内部で電気的な制御処理が行われているので、実に多種多様な撮影動作の条件設定をユーザに許容することができる。
【０００４】
例えば、カメラにおいて、付属のフラッシュをどのように発光させるかの動作方式の選択枝として、オート（発光／非発光をカメラ自身で判断）、赤目防止（撮影画像における被写体の目が赤く写る現象を軽減するための予備発光を含む発光）、強制（撮影環境の明るさ等に無関係に強制的に発光）、禁止（撮影環境の明るさ等に無関係に強制的に発光禁止）、及びスローシンクロ（遅いシャッター速度でのシャッター開放時における一部期間でフラッシュを発光）などの各発光モードが用意されているものがある。ここで、赤目防止モードや禁止以外が選択された場合には更にフラッシュの光量の設定が可能であり、スローシンクロモードが選択されたときには、先幕シンクロ（シャッター開放の瞬間に合わせて発光）と後幕シンクロ（シャッター閉止の直前に発光）との選択を可能とすることができる。このように、フラッシュの発光に関する設定だけで実に細かな設定が可能となっている。
【０００５】
上述したフラッシュの発光機能の他に、カメラにおいてユーザによってその動作の条件設定が可能な機能としては、合焦機能（動作方式の選択枝の例としてはオートフォーカス、マニュアルフォーカス）、記録画像の画質調整機能（動作方式の選択枝の例としては最高画質、高画質、標準画質）、連写撮影機能（動作方式の選択枝の例としては単写（通常の１枚撮影）、連写、ＡＦ連写、ブラケット（露出の設定を自動的に変化させながらの連写））、セルフタイマ、ホワイトバランス調整機能（動作方式の選択枝の例としては自動設定、晴天、曇天、電球、蛍光灯）など、様々なものがある。
【０００６】
ところで、ユーザがカメラに対してこのような機能の動作条件の設定を行うときには、設定対象の機能を特定してその機能の動作方式（動作モード）を選択するための操作を行い、それとは別にその動作方式の動作条件を設定するための操作を行うという形態を採用しているカメラが多い。前述したフラッシュ発光機能の例で説明すると、ユーザは設定対象の機能としてフラッシュの発光機能を特定すると共にこの発光機能の動作モードとして前述した各発光モードからの選択結果を示すための操作を行い、これとは別に各発光モードの動作条件を設定するための操作をカメラに対して行う。
【０００７】
上述したような撮影動作条件の設定を行うための操作方式として、従来のカメラでは、設定対象の機能の特定、その特定された機能における動作モードの選択、及び各動作モードでの動作条件の設定の全てをカメラに設けられている表示部に表示される階層化された設定メニュー画面と汎用のボタンに対する押下操作との併用によって行う方式などが採用されている。
【０００８】
【発明が解決しようとする課題】
最近のカメラでは、ユーザによってその動作の条件設定が可能な機能は更に増加し、これらの各機能における動作モードもまた増加している。しかも、これらの各動作モードに対して設定可能な動作条件も種々増加している。そのため、カメラにおいて撮影動作条件の設定に用いるために用意される設定メニュー画面の階層化構造はますます複雑化している。従って、このような設定メニュー画面を利用した条件設定方式のみでは、その内容の変更を希望する設定項目を設定メニュー画面から探し出す困難さが増しているため、ユーザがカメラを十分に使いこなせていない場合も少なくない。
【０００９】
以上の問題を鑑み、カメラの撮影動作条件の細かな設定を容易に行えるようにすることが本発明が解決しようとする課題である。
【００１０】
【課題を解決するための手段】
本発明の態様のひとつであるカメラは、被写体像を撮像して該被写体像が表現されている画像を記録するカメラであって、前記カメラに備えられている機能毎に対応付けて個別に設けられ、該機能の選択をするために操作される機能選択手段と、前記機能を動作させるときの動作方式の選択のために操作される動作方式選択手段と、前記機能を動作させるときの動作方式における動作条件の設定のために操作される動作条件設定手段と、前記機能選択手段と前記動作方式選択手段とが同時に操作されたときに、該機能選択手段に対してなされた操作に応じて選択される前記機能を動作させるときの動作方式の選択を該動作方式選択手段に対してなされた操作に応じて行う動作方式選択制御手段と、前記機能選択手段と前記動作条件設定手段とが同時に操作されたときに、該機能選択手段に対してなされた操作に応じて選択される前記機能についてそのときに選択がされていた前記動作方式についての前記動作条件の設定を該動作条件設定手段に対する操作に応じて行う動作条件設定制御手段と、を有するように構成することによって前述した課題を解決する。
【００１１】
この構成によれば、機能選択手段と動作方式選択手段との同時操作に続けて機能選択手段と動作条件設定手段との同時操作を行うという直感的に理解することが容易な一連の手順によって、機能の選択、動作方式（例えば選択された機能についての動作モード）の選択、そして動作条件設定という相互に関連している一連の選択・設定をまとめて行うことができる。従って、カメラの撮影動作条件の細かな設定を容易に行うことができる。
【００１２】
なお、上述した本発明におけるカメラにおいて、前記機能選択手段と前記動作方式選択手段とが同時に操作されたときに、該機能選択手段に対してなされた操作に応じて選択される前記機能を動作させるときの動作方式であって該機能において選択可能な該動作方式のみの一覧を示す画面を表示する動作方式選択画面表示手段を更に有するように構成することができる。
【００１３】
この構成によれば、動作方式選択画面表示手段に表示される表示画面の参照により、カメラのユーザは、選択された機能において選択可能な動作方式を容易に認識することができる。
また、前述した本発明におけるカメラにおいて、前記機能選択手段と前記動作条件設定手段とが同時に操作されたときに、該機能選択手段に対してなされた操作に応じて選択される前記機能についてそのときに選択がされていた前記動作方式についての前記動作条件であって該動作方式において設定可能な該動作条件の項目のみの一覧を示す画面を表示する動作条件設定画面表示手段を更に有するように構成することができる。
【００１４】
この構成によれば、動作条件設定画面表示手段に表示される表示画面の参照により、カメラのユーザは、選択された動作方式において設定可能な動作条件を容易に認識することができる。
また、前述した本発明におけるカメラにおいて、前記機能選択手段は、前記カメラを使用して撮影を行うために該カメラを構えた撮影者から見て該カメラの筐体における左側部近傍に設置され、前記動作方式選択手段または前記動作条件設定手段は、前記撮影者から見て前記カメラの筐体における右側部近傍に設置されるように構成することができる。
【００１５】
この構成によれば、カメラを構えた撮影者が機能選択手段の操作を左手の指で行いながら動作方式選択手段または動作条件設定手段の操作を右手の指で行うことができるので、機能選択手段の操作を継続させている状態で動作方式選択手段または動作条件設定手段の操作を並行して行うことが容易となる。
【００１６】
本発明の別の態様のひとつであるカメラの制御方法は、被写体像を撮像して該被写体像が表現されている画像を記録するカメラにおいて、前記カメラに備えられている機能毎に対応付けて個別に設けられている機能選択部であって該機能の選択をするために操作される該機能選択部と、該機能を動作させるときの動作方式の選択のために操作される動作方式選択部とが同時に操作されたときには、該機能選択部に対してなされた操作に応じて選択される該機能を動作させるときの動作方式の選択を該動作方式選択部に対してなされた操作に応じて行い、前記機能選択部と、前記機能を動作させるときの動作方式における動作条件の設定のために操作される動作条件設定部とが同時に操作されたときには、該機能選択部に対してなされた操作に応じて選択される該機能についてそのときに選択がされていた該動作方式についての該動作条件の設定を該動作条件設定部に対する操作に応じて行うようにすることを特徴とする。
【００１７】
こうすることにより、前述した本発明に係るカメラと同様の作用・効果を奏し、前述した課題が解決される。
本発明の更なる別の態様のひとつであるカメラは、被写体像を撮像して該被写体像が表現されている画像を記録するカメラであって、前記カメラに備えられている機能毎に対応付けて個別に設けられ、該機能の選択をするために操作される機能選択手段と、前記機能選択手段が単独で繰り返し操作されたときに、該機能選択手段に対してなされた操作に応じて選択される前記機能を動作させるときの動作方式の選択を該機能選択手段に対してなされた操作の繰り返しに応じて行う動作方式選択制御手段と、前記機能を動作させるときの動作方式における動作条件の設定のために操作される動作条件設定手段と、前記機能選択手段と前記動作条件設定手段とが同時に操作されたときに、該機能選択手段に対してなされた操作に応じて選択される前記機能についてそのときに選択がされていた前記動作方式についての前記動作条件の設定を該動作条件設定手段に対する操作に応じて行う動作条件設定制御手段と、を有するように構成することによって前述した課題を解決する。
【００１８】
この構成によれば、機能選択手段単独に対する繰り返し操作に続けて機能選択手段と動作条件設定手段との同時操作を行うという直感的に理解することが容易な一連の手順によって、機能の選択、動作方式の選択、そして動作条件設定という相互に関連している一連の選択・設定をまとめて行うことができる。従って、カメラの撮影動作条件の細かな設定を容易に行うことができる。
【００１９】
本発明の更なる別の態様のひとつであるカメラの制御方法は、被写体像を撮像して該被写体像が表現されている画像を記録するカメラにおいて、前記カメラに備えられている機能毎に対応付けて個別に設けられ、該機能の選択をするために操作される機能選択部が単独で繰り返し操作されたときには、該機能選択部に対してなされた操作に応じて選択される該機能を動作させるときの動作方式の選択を該機能選択部に対してなされた操作の繰り返しに応じて行い、前記機能選択部と、前記機能を動作させるときの動作方式における動作条件の設定のために操作される動作条件設定部とが同時に操作されたときには、該機能選択部に対してなされた操作に応じて選択される該機能についてそのときに選択がされていた該動作方式についての該動作条件の設定を該動作条件設定部に対する操作に応じて行うことを特徴とする。
【００２０】
こうすることにより、上述した本発明に係るカメラと同様の作用・効果を奏し、前述した課題が解決される。
なお、前述した本発明に係るカメラにおいて、前記機能選択手段と前記動作条件設定手段とが同時に操作されたときに、該機能選択手段に対してなされた操作に応じて選択される前記機能についての前記動作方式の各々において設定可能な前記動作条件の項目の一覧を示す画面を表示する動作条件設定画面表示手段を更に有するように構成することができる。
【００２１】
この構成によれば、動作条件設定画面表示手段に表示される表示画面の参照により、カメラのユーザは、選択された機能において選択可能な動作方式の各々において設定可能な動作条件をまとめて認識することができる。
【００２２】
【発明の実施の形態】
以下、本発明の実施の形態を図面に基づいて説明する。
図１は本発明を実施するデジタルカメラ１の外観図である。
図１において、コントロールパネル２はデジタルカメラ１に対してなされている撮影動作の設定状況を示す設定情報やデジタルカメラ１の現在の動作の状態を示す状態情報が表示される表示部であり、デジタルカメラ１の筐体の上面に配置されている
画像モニタ３は、デジタルカメラ１内に設けられている撮像素子で撮像中の画像のスルー画像としての表示や、デジタルカメラ１における画像データ記録媒体であるメモリカードに記録されたデータによって表現されている撮影済みの画像の再生表示を行うことを主な用途とする表示部であり、また、デジタルカメラ１に各種の設定の確認／変更を行うために使用されるメニュー画面の表示も行う。
画像モニタ３はデジタルカメラ１の筐体の背面に配置されているので、デジタルカメラ１のユーザは撮影のためにデジタルカメラ１を保持した状態でこの画像モニタ３を視認することができる。
【００２３】
鏡胴４は撮影レンズを保持するものであり、デジタルカメラ１の筐体の正面側に配置されている。
レリーズボタン５は、デジタルカメラ１に撮影動作を行わせることを指示するために操作されるボタンであり、設定に応じて撮影動作の直前に行われるＡＦ／ＡＥ機能の開始指示も兼ねている場合がある。レリーズボタン５は、ユーザが撮影のためにデジタルカメラ１を手で保持した状態での右手の示指による押下操作を想定し、デジタルカメラ１の背面側から見て右側部近傍、本実施形態ではデジタルカメラ１の筐体の上面の右寄りの位置に配置されている。
【００２４】
フラッシュボタン６は、デジタルカメラ１に備えられているフラッシュの発光機能の動作モードの選択のため等に押下操作されるボタンである。
ＡＦ／ＭＦ（Ａｕｔｏ　Ｆｏｃｕｓ：自動合焦／Ｍａｎｕａｌ　Ｆｏｃｕｓ：手動による合焦）ボタン７は、デジタルカメラ１での合焦機能の動作モードの選択のため等に押下操作されるボタンである。
【００２５】
ドライブボタン８は、レリーズボタン５に対する押下操作がなされたときにデジタルカメラ１で行われる撮影機能の動作モードの選択のため等に押下操作されるボタンである。
画質モードボタン９は、デジタルカメラ１に撮影動作を行わせることによって得られる記録画像の画質調整機能の動作モードの選択のため等に押下操作されるボタンである。
【００２６】
ホワイトバランスボタン１０は、デジタルカメラ１に撮影動作を行わせることによって得られる記録画像におけるホワイトバランスの調整機能の動作モードの選択のため等に押下操作されるボタンである。
これらのフラッシュボタン６、ＡＦ／ＭＦボタン７、ドライブボタン８、画質モードボタン９、及びホワイトバランスボタン１０は、いずれも設定対象の機能を特定してその機能の動作モードを選択するために押下操作されるボタン（機能選択手段）である。以降の説明においてはこれらを総称して「ダイレクトボタン」と呼ぶこととする。
【００２７】
また、図１に示すデジタルカメラ１においては、フラッシュボタン６はデジタルカメラ１の背面側から見て左側部近傍、より具体的にはデジタルカメラ１の筐体の上面の左寄りの位置に配置し、ＡＦ／ＭＦボタン７及びホワイトバランスボタン１０はデジタルカメラ１の背面側から見て左側部近傍、より具体的にはデジタルカメラ１の筐体の左側面の位置に配置し、ドライブボタン８及び画質モードボタン９はデジタルカメラ１の背面側から見て右側部近傍、より具体的にはデジタルカメラ１の筐体の上面の右寄りの位置に配置している。これは、フラッシュボタン６はユーザが撮影のためにデジタルカメラ１を手で保持した状態での左手の示指による押下操作を想定し、ＡＦ／ＭＦボタン７及びホワイトバランスボタン１０は同様の状態での左手の親指による押下操作を想定し、ドライブボタン８及び画質モードボタン９は同様の状態での右手の示指（人差し指）による押下操作を想定したものである。
【００２８】
なお、これらのダイレクトボタンの全てを同様の状態での左手の指による押下操作を想定してデジタルカメラ１の背面側から見て左側部近傍にまとめて配置するようにしてもよい。こうすることにより、ユーザはダイレクトボタンの押下操作を継続させている状態であっても、他のボタン等をデジタルカメラ１の背面側から見て右側部近傍に配置するようにして右手の指で他のボタン等の操作を行えるようにすることによりダイレクトボタンと他のボタン等との同時操作が容易となり、良好な操作性をユーザに提供することができる。
【００２９】
ジョグダイアル１１は、画像モニタ３で各種の項目表示が行われているときの項目の選択の指示や表示項目の変更の指示を行うときにユーザによって回転操作されるダイアルである。また、ダイレクトボタンの押下操作時には回転操作によってダイレクトボタンに対応した機能の動作方式が選択される動作方式選択手段となる。このジョグダイアル１１はユーザが撮影のためにデジタルカメラ１を手で保持した状態での右手の親指による回転操作を想定し、デジタルカメラ１の背面側から見て右側部近傍、本実施形態ではデジタルカメラ１の筐体の上面の右寄り且つ背面寄りの位置に配置されている。
【００３０】
十字キーボタン１２は、画像モニタ３で各種の項目表示が行われているときの項目の選択の指示や表示項目の変更の指示を行うときにユーザによって操作されるボタンであり、また、画像モニタ３に表示される後述するターゲット表示を移動させるためにも操作される。
【００３１】
メニューボタン１３は、メニュー画面を画像モニタ３に表示させるために押下操作されるボタンである。
ＯＫボタン１４は、前述した各種ボタンの押下操作によってデジタルカメラ１に対してなされたユーザからの指示の内容を必要に応じて確定させるために操作される押下ボタンである。十字キーボタン１２、メニューボタン１３、及びＯＫボタン１４は、ダイレクトボタンの押下操作時にはダイレクトボタンに対応した機能に関する動作条件が設定される動作条件設定手段となる。
【００３２】
なお、十字キーボタン１２、メニューボタン１３、及びＯＫボタン１４はユーザが撮影のためにデジタルカメラ１を手で保持した状態での右手の親指による押下操作を想定し、デジタルカメラ１の背面側から見て右側部近傍、本実施形態ではいずれもデジタルカメラ１の筐体の背面のやや右寄りの位置に配置されている。
【００３３】
次に図２について説明する。同図は図１に示したデジタルカメラ１の内部構成を示している。
図２においてコントロールパネル２及び画像モニタ３は図１に示したものと同一のものである。
【００３４】
撮影レンズ２１は鏡胴４に保持されており、被写体像をＣＣＤ２２の表面に結像させる。
ＣＣＤ（Ｃｈａｒｇｅ　Ｃｏｕｐｌｅｄ　Ｄｅｖｉｃｅ　）２２は、撮影レンズ２１の作用によって結像された被写体像を光電変換して被写体像が表されている画像を表現している電気信号を出力する撮像素子である。
【００３５】
Ａ／Ｄ変換部２３は、ＣＣＤ２２から出力されたアナログ信号である電気信号をデジタルデータである画像データに変換するアナログ−デジタル変換を行う。
撮影制御処理部２４は撮像画像が適切に表現されている画像データが得られるように例えばＣＣＤ２２の露光時間及びＡ／Ｄ変換部２３のゲインの動作を制御する。
【００３６】
映像処理部２５はＡ／Ｄ変換部２３から出力される画像データに対してホワイトバランスやγ補正等の補正処理を施す。
圧縮／伸張処理部２６はデジタルカメラ１が撮影動作を行うときには映像処理部２５から出力される画像データに対してのデータ圧縮処理を行い、デジタルカメラ１が再生動作を行うときにはメモリカード２７から読み出される画像データに対してのデータ伸張処理を行う。この画像データの圧縮処理及び伸張処理では、例えばＪＰＥＧ（Ｊｏｉｎｔ　Ｐｈｏｔｏｇｒａｐｈｉｃ　Ｅｘｐｅｒｔｓ　Ｇｒｏｕｐ）方式による圧縮処理及び伸張処理等が行われる。
【００３７】
メモリカード２７は画像データ等の各種データの記録を行う半導体記録媒体であり、デジタルカメラ１に対して着脱可能である。
画像表示処理部２８は、デジタルカメラ１が撮影動作を行うときには映像処理部２５から出力される画像データ、あるいは、デジタルカメラ１が再生動作を行うときには圧縮／伸張処理部２６によってメモリカード２７から読み出される画像データを加工・変換し、これらの画像データで表現されている画像を画像モニタ３に表示させる映像信号を生成して出力する処理をＣＰＵ２９からの指示に従って行う。また、各種のモード選択画面やメニュー画面などといった、ユーザに提示すべき各種の情報が示されている情報画面を画像モニタ３に表示させる映像信号を生成して出力する処理をＣＰＵ２９からの指示に従って行う。
【００３８】
ＣＰＵ（Ｃｅｎｔｒａｌ　Ｐｒｏｃｅｓｓｉｎｇ　Ｕｎｉｔ　）２９は予め用意されている制御プログラムを実行することによってこのデジタルカメラ１全体の動作制御を行う中央演算装置である。なお、この制御プログラムには後述する各種の処理をＣＰＵ２９に行わせるためのプログラムが含まれており、この制御プログラムをＣＰＵ２９が実行することによって後述する各種の処理がＣＰＵ２９によって行えるようになる。
【００３９】
操作入力部３０はユーザによって操作されるスイッチ群の総称であり、ＣＰＵ２９は操作入力部３０に対してユーザにより行なわれた操作に基づいてそのユーザからの指示を取得する。操作入力部３０には、レリーズボタン５、フラッシュボタン６、ＡＦ／ＭＦボタン７、ドライブボタン８、画質モードボタン９、ホワイトバランスボタン１０、十字キーボタン１２、メニューボタン１３、及びＯＫボタン１４等の各種のボタンへの操作に対応して状態が各々変化するボタンスイッチ、及びジョグダイアル１１の回転操作を検出するロータリーエンコーダなどが含まれている。
【００４０】
ＡＦ情報検出処理部３１は、デジタルカメラ１の合焦機能としてＡＦモードが選択されたときに映像処理部２５から画像データを取得し、ＡＦ制御の基礎となる情報である取得画像のコントラスト量の検出を行う。
ＡＦ駆動部３２は、デジタルカメラ１の合焦機能としてＡＦモードが選択されたときに、ＡＦ情報検出処理部３１で取得された情報に基づいてＣＰＵ２９によって行われるＡＦ制御処理の結果として指示される制御量に応じて撮影レンズ２１を移動させ、被写体像をＣＣＤ２２の表面で合焦させる。
【００４１】
ＡＥ情報検出処理部３３は、デジタルカメラ１で自動露出調整を行わせるときに映像処理部２５から画像データを取得し、その画像データの輝度を測定してその測定結果を示す情報をＣＰＵ２９に与える。ＣＰＵ２９ではＡＥ制御処理が行われて適切な露出が得られるよう露光時間やゲイン（感度）が算出され、撮影制御処理部２４へその指示を与える。撮影制御処理部２４はこの情報に基づいてＣＣＤ２２やＡＤ変換部２３を制御する。
【００４２】
ＷＢ（Ｗｈｉｔｅ　Ｂａｌａｎｃｅ）情報検出処理部３４は、デジタルカメラ１でのホワイトバランス調整機能として自動設定モードが選択されたときに映像処理部２５から画像データを取得し、その画像データの色情報を取得してＣＰＵ２９に与える。ＣＰＵ２９では撮影者が設定したホワイトバランス調整モードに応じ、所定の設定値又はＷＢ情報検出処理部３４で検出された色情報に基づいた設定値がＷＢ設定処理部３５に渡される。
【００４３】
ＷＢ設定処理部３５はホワイトバランスの適正な補正値に関する情報を画像処理部２５へ与える。画像処理部２５はこの情報に基づいて画像データに対してホワイトバランス補正処理を施す。
フラッシュ発光制御部３６はＣＰＵ２９からの指示に従ってフラッシュ３７の発光動作の制御を行う。
【００４４】
フラッシュ３７は照度の不足を補うために被写体へ光を照射する。
デジタルカメラ１はこれらの構成要素を備えて構成されている。
次に、このデジタルカメラ１において前述したダイレクトボタン（機能選択手段）が操作されたときの動作について更に説明する。
【００４５】
デジタルカメラ１が撮影可能な状態で動作しているときにダイレクトボタンが押下操作されたときには、そのときまではＣＣＤ２２で撮像中の画像のスルー画像が表示されていた画像モニタ３に図３（ａ）に示すような動作モード選択画面を表示させる。なお、この図３（ａ）の画面はフラッシュボタン６が押下操作されたときに表示させる動作モード選択画面であり、「フラッシュ」の文字列が表示されていることにより、この画面はフラッシュの発光機能の動作モードの選択を行うためのものであることが示されている。また、「ＳＬＯＷ」、「禁止」、「ＡＵＴＯ」、「赤目」、「強制」の各文字列はこのフラッシュの発光機能の動作モードの選択枝として、スローシンクロ、発光強制禁止、オート、赤目防止発光、強制発光の各発光モードが用意されている。ここで、「ＡＵＴＯ」の文字列が「フラッシュ」の文字列と共に枠で囲まれて表示されていることにより、フラッシュの発光機能の動作モードとして現在はオートモードが選択されていることが示されている。
【００４６】
この図３（ａ）の画面が画像モニタ３に表示されている状態、すなわちダイレクトボタンであるフラッシュボタン６の押下操作が継続している状態においてジョグダイアル１１が回転操作されたときには、その回転操作に応じて動作モード選択画面上の「ＳＬＯＷ」、「禁止」、「ＡＵＴＯ」、「赤目」、「強制」の各文字列の位置を順に移動させ、例えば図３（ｂ）に示すような画面へと変化させる。この図３（ｂ）の画面は「赤目」の文字列と「フラッシュ」の文字列とを共に枠で囲んで表示させていることにより、フラッシュの発光機能の動作モードとして現在は赤目軽減発光モードが選択されることを示している。このときにフラッシュボタン６の押下操作が終了したときには、フラッシュの発光機能の動作モードとして赤目軽減発光モードの選択を確定させる。
【００４７】
このように、ダイレクトボタンの押下操作を継続させている状態においてジョグダイアル１１を回転操作することによって、そのダイレクトボタンに対応した機能の動作方式の選択をユーザが行えるようにする。
なお、図３（ａ）及び（ｂ）に示した画面の上部に表示させている「Ｐ」、「Ｆ２．８」、「１／１００」、「±０．０」の各文字列は、画面の左から順に、デジタルカメラ１に対して設定されている撮影モードの選択状況（「Ｐ」なる表示は、絞り値及びシャッター速度をデジタルカメラ１自身が自動的に設定するプログラム撮影モードが選択されていることを示している）、絞り値の現在の設定値、シャッター速度の現在の設定値、そしてデジタルカメラ１自身によって設定される露出に対する露出補正値の現在の設定値を各々示している。
【００４８】
ところで、この図３（ａ）または図３（ｂ）の動作モード選択画面を画像モニタ３に表示させている状態、すなわちダイレクトボタンであるフラッシュボタン６の押下操作を引き続き継続させている状態においてメニューボタン１３が押下操作されたときには、そのときに表示されていた動作モード選択画面において選択されることが示されている動作モードについての動作条件の設定を行うための設定メニュー画面へと画像モニタ３の表示を切り替える。
【００４９】
以下、デジタルカメラ１に用意されている各種の設定メニュー画面について、図４及び図５を参照しながら説明する。
動作モード選択画面においてフラッシュの発光機能の動作モードとして「ＡＵＴＯ」、「赤目」、「強制」のいずれかの動作モードが選択されていることを示している状態においてメニューボタン１３が押下操作されたときに画像モニタ３に表示させる設定メニュー画面の例を図４（１）（ａ）に示す。この画面はフラッシュの発光量の調節を行わせるための画面であり、まずは▲１▼の画面を表示させる。
【００５０】
▲１▼の画面はカーソル（指標）が「フラッシュ補正」の文字列の位置に示されているが、この▲１▼の画面が表示されているときに右方向を示す十字キーボタン１２が押下操作されたときにはこのカーソルを「±０．０」の数値の位置に移動させ、画面を▲２▼に示すものへと変化させる。この▲２▼の画面が表示されている状態において、上方向または下方向を示す十字キーボタン１２が押下操作されたときにはカーソルの位置している数値をその操作に応じて変更し、フラッシュの発光量の増減量の設定を行う。ここでＯＫボタン１４が押下操作されたときにはこの増減量の設定を確定させると共に、画像モニタ３での設定メニュー画面の表示を終了させ、元のスルー画像を表示させる。
【００５１】
なお、動作モード選択画面においてフラッシュの発光機能の動作モードとして「ＳＬＯＷ」モードが選択されていることが示されている状態においてメニューボタン１３が押下操作されたときには、図４（１）（ｂ）に示されているような設定メニュー画面を画像モニタ３に表示させる。この画面はフラッシュの発光量の調節、及びスローシンクロにおける先幕動作／後幕動作の選択を行わせるための画面であり、まずは▲１▼の画面を表示させる。この▲１▼の画面が表示されている状態において、上方向または下方向を示す十字キーボタン１２が押下操作されたときにはカーソルの位置を「フラッシュ補正」の文字列の位置と「スローシンクロ」の文字列の位置との間で交互に移動させる。
【００５２】
カーソルの位置が「フラッシュ補正」の文字列の位置にあるときに右方向を示す十字キーボタン１２が押下操作されたときには表示画面は前述した（１）（ａ）▲２▼の画面へと変化させる。その後のフラッシュの発光量の調節についての動作は前述したものと同様とする。
【００５３】
一方、カーソルの位置が「スローシンクロ」の文字列の位置にあるときに右方向を示す十字キーボタン１２が押下操作されたときには、このカーソルを「先幕」の文字列の位置に移動させて画面を（１）（ｂ）▲２▼に示すものへと変化させる。この▲２▼の画面が表示されている状態において、上方向または下方向を示す十字キーボタン１２が押下操作されたときにはカーソルの位置を「先幕」の文字列の位置と「後幕」の文字列の位置との間で交互に移動させる。ここでＯＫボタン１４が押下操作されたときにはスローシンクロの動作設定をそのカーソルの現在位置に応じて先幕動作または後幕動作で確定する。
【００５４】
なお、動作モード選択画面においてフラッシュの発光機能の動作モードとして「禁止」モードが選択されていることが示されている状態では、フラッシュボタン６の押下操作が継続している状態においてメニューボタン１３が押下操作されても設定メニュー画面への表示切り替えは行わない。
【００５５】
ところで、図４及び後述する図５に示されている各設定メニュー画面において、各画面の上部に示されているタイトル（例えば図４（１）における「フラッシュメニュー」の文字列）は現在表示中の設定メニュー画面が対象としている機能を特定するものであり、各画面の下部に示されているガイドは、設定メニュー画面を用いて各種の設定を行うときの十字キーボタン１２及びＯＫボタン１４の機能を簡略に示すものである。
【００５６】
次に図４（２）（ａ）について説明する。これらの画面例は、ＡＦ／ＭＦボタン７及びジョグダイアル１１に対する操作によって合焦機能の動作モードとして「ＡＦ」モードが選択されている状態において、ダイレクトボタンであるＡＦ／ＭＦボタン７の押下操作を継続させながらメニューボタン１３が押下操作されたときに画像モニタ３に表示させる設定メニュー画面である。この画面はＡＦの動作条件の設定のための画面であり、まずは（ａ）▲１▼の画面を表示させる。
【００５７】
この▲１▼の画面が表示されている状態において、上方向または下方向を示す十字キーボタン１２が押下操作されたときにはカーソルの位置を「ＡＦ方式」の文字列の位置と「フルタイムＡＦ」の文字列の位置との間で交互に移動させる。
カーソルの位置が「ＡＦ方式」の文字列の位置にあるときに右方向を示す十字キーボタン１２が押下操作されたときにはこのカーソルを「ｉＥＳＰ」の文字列の位置に移動させて画面を▲２▼に示すものへと変化させる。この▲２▼の画面が表示されている状態において、上方向または下方向を示す十字キーボタン１２が押下操作されたときにはカーソルの位置を「ｉＥＳＰ」の文字列の位置と「スポット」の文字列の位置との間で交互に移動させる。ここでＯＫボタン１４が押下操作されたときにはオートフォーカスの動作設定をそのカーソルの現在位置に応じて「ｉＥＳＰ」または「スポット」で確定する。
【００５８】
なお、「ｉＥＳＰ」とは、撮像画面全体から合焦させる対象とする被写体をデジタルカメラ１が自律的に判断して行うオートフォーカス動作であり、「スポット」とはスルー画像表示中に画像モニタ３に重畳表示されるＡＦターゲットマークで指し示された被写体を合焦させるオートフォーカス動作である。
【００５９】
一方、カーソルの位置が「フルタイムＡＦ」の文字列の位置にあるときに右方向を示す十字キーボタン１２が押下操作されたときにはこのカーソルを「オフ」の文字列の位置に移動させて画面を▲３▼に示すものへと変化させる。この▲３▼の画面が表示されている状態において、上方向または下方向を示す十字キーボタン１２が押下操作されたときにはカーソルの位置を「オフ」の文字列の位置と「オン」の文字列の位置との間で交互に移動させる。ここでＯＫボタン１４が押下操作されたときにはオートフォーカスにおけるフルタイムＡＦの動作をそのカーソルの現在位置に応じて「オフ」または「オン」で確定する。
【００６０】
なお、「フルタイムＡＦ」とは、デジタルカメラ１が撮影可能な状態で動作しているときには、レリーズボタン５に対する操作とは無関係に常時オートフォーカスを機能させておく動作である。
なお、動作モード選択画面において合焦機能の動作モードとして「ＭＦ」モードが選択されている状態では、ＡＦ／ＭＦボタン７の押下操作が継続している状態においてメニューボタン１３が押下操作されても設定メニュー画面への表示切り替えは行わない。
【００６１】
次に図５（３）について説明する。これらの画面例はドライブボタン８の押下操作を継続させながらジョグダイアル１１を操作することによって、レリーズボタン５に対する押下操作に応じて行われる撮影機能の動作モードを選択したときに、動作モードに応じて表示される設定メニュー画面である。
【００６２】
図５（３）（ａ）の画面は、この撮影機能の動作モードとして「ブラケット」モードが選択されている状態において、ダイレクトボタンであるドライブボタン８の押下操作を継続させながらメニューボタン１３が押下操作されたときに画像モニタ３に表示させる設定メニュー画面である。
【００６３】
この画面が表示されたときに、上方向または下方向を示す十字キーボタン１２が押下操作されたときにはカーソルの位置を「±０．３ＥＶ」、「±０．７ＥＶ」、「±１．０ＥＶ」の各数値の位置でサイクリックに移動させる。この数値はブラケット撮影において撮影コマごとに変化させる露出値の割合を示している。
【００６４】
一方、この画面が表示されたときに右方向を示す十字キーボタン１２が押下操作されたときにはこのカーソルを「×３」の文字列の位置に移動させる。この状態において、上方向または下方向を示す十字キーボタン１２が押下操作されたときにはカーソルの位置を「×３」の数値の位置と「×５」の数値の位置との間で交互に移動させる。この数値は１回のブラケット撮影での撮影枚数を示している。
【００６５】
ここでＯＫボタン１４が押下操作されたときには、ブラケット撮影機能における露出値の変化割合と撮影枚数の設定をそのときのカーソル位置に応じて確定させる。
図５（３）（ｂ）の画面は、この撮影機能の動作モードとして「セルフタイマ」モードが選択されている状態において、ダイレクトボタンであるドライブボタン８の押下操作を継続させながらメニューボタン１３が押下操作されたときに画像モニタ３に表示させる設定メニュー画面であり、まずは▲１▼の画面を表示させる。
【００６６】
▲１▼の画面はカーソルが「セルフタイマ時間」の文字の位置に示されているが、この▲１▼の画面が表示されているときに右方向を示す十字キーボタン１２が押下操作されたときにはこのカーソルを「５」の数値の位置に移動させ、画面を▲２▼に示すものへと変化させる。この▲２▼の画面が表示されている状態において、上方向または下方向を示す十字キーボタン１２が押下操作されたときにはカーソルの位置している数値をその操作に応じて変更し、セルフタイマの設定時間、すなわちレリーズボタン５が押下操作されてから撮影処理がデジタルカメラ１で行われるまでの待ち時間の設定を行う。ここでＯＫボタン１４が押下操作されたときにはこの設定時間を確定させると共に、画像モニタ３での設定メニュー画面の表示を終了させ、元のスルー画像を表示させる。
【００６７】
なお、動作モード選択画面において合焦機能の動作モードとして１枚だけの撮影を行う「単写」モードや静止画の連続撮影を単純に行う「連写」モード、あるいは連写における１コマごとにＡＦ機能による合焦動作を行わせる「ＡＦ連写」が選択されている状態では、ドライブボタン８の押下操作が継続している状態においてメニューボタン１３が押下操作されても設定メニュー画面への表示切り替えは行わない。
【００６８】
次に図５（４）について説明する。これらの画面例は画質モードボタン９の押下操作を継続させながらジョグダイアル１１を操作することによって、記録画像の画質調整機能の動作モードを選択したときに、動作モードに応じて表示される設定メニュー画面である。
【００６９】
図５（４）（ａ）の画面は、この画質調整機能の動作モードとして画像データにデータ圧縮処理を施さない「ＴＩＦＦ」モードが選択されている状態において、ダイレクトボタンである画質モードボタン９の押下操作を継続させながらメニューボタン１３が押下操作されたときに画像モニタ３に表示させる設定メニュー画面である。
【００７０】
この画面が表示されたときに、上方向または下方向を示す十字キーボタン１２が押下操作されたときにはカーソルの位置を「２０４８×１５３６」、「１６００×１２００」、「１０２４×７６８」、「６４０×４８０」の各数値の位置でサイクリックに移動させる。この数値は記録画像の画像サイズ（画素数）を示している。ここでＯＫボタン１４が押下操作されたときには、そのときのカーソルの位置に応じて記録画像の画像サイズの設定を確定させる。
【００７１】
図５（４）（ｂ）の画面は、この画質調整機能の動作モードとして画像データにデータ圧縮処理を施す「ＳＱ」モードが選択されている状態において、ダイレクトボタンである画質モードボタン９の押下操作を継続させながらメニューボタン１３が押下操作されたときに画像モニタ３に表示させる設定メニュー画面である。
【００７２】
この画面において、カーソルの位置が記録画像の画像サイズを示す数値のうちのいずれかの位置にあるときに上方向または下方向を示す十字キーボタン１２が押下操作されたときには表示画面は前述した（４）（ａ）の画面へと変化させる。その後の記録画像の画像サイズの設定についての動作は前述したものと同様とする。
【００７３】
一方、カーソルの位置が記録画像の画像サイズを示す数値のうちのいずれかの位置にあるときに右方向を示す十字キーボタン１２が押下操作されたときには、このカーソルを「高画質」の文字列の位置に移動させる。この状態において、上方向または下方向を示す十字キーボタン１２が押下操作されたときにはカーソルの位置を「高画質」の文字列の位置と「標準」（標準画質の意）の文字列の位置との間で交互に移動させる。これらの選択枝は記録画像の画質、すなわち記録画像データに対して施す画像データ圧縮の程度を示している。
ここでＯＫボタン１４が押下操作されたときには記録画像の画像サイズ及び記録画像の画質の程度の設定を確定させると共に、画像モニタ３での設定メニュー画面の表示を終了させ、元のスルー画像を表示させる。
【００７４】
なお、動作モード選択画面において画質調整機能の動作モードとして、例えば「ＳＨＱ」や「ＨＱ」などと称されていることがある、記録画像の画像サイズ及び記録画像の画質の程度が予め特定されているものが選択されている状態では、画質モードボタン９の押下操作が継続している状態においてメニューボタン１３が押下操作されても設定メニュー画面への表示切り替えは行わない。
【００７５】
次に図５（５）について説明する。これらの画面例はホワイトバランスボタン１０の押下操作を継続させながらジョグダイアル１１を操作することによって、撮影画像のホワイトバランス調整機能の動作モードを選択したときに、動作モードに応じて表示させる設定メニュー画面である。
【００７６】
図５（５）（ａ）の画面はホワイトバランスの調整量の設定を行わせるための画面であり、ホワイトバランス調整機能の動作モードとして「ＡＵＴＯ」、「晴天」、「曇天」、又は「電球」のいずれかの動作モードが選択されているときの画面である。この画面を使用して行われるホワイトバランスの調整量の設定についての動作は図４（１）（ａ）に示したフラッシュの発光量の調節についての動作と同様とする。
【００７７】
図５（５）（ｂ）の画面はホワイトバランス調整機能の動作モードとして「蛍光灯」が選択されているときにおいてホワイトバランスの調整量の設定を行わせるための画面であり、まずは▲１▼の画面を表示させる。
▲１▼の画面はカーソルが「蛍光灯選択」の文字列の位置に示されているが、この▲１▼の画面が表示されているときに右方向を示す十字キーボタン１２が押下操作されたときにはこのカーソルを「昼光色」の文字列の位置に移動させ、画面を▲２▼に示すものへと変化させる。この▲２▼の画面が表示されている状態において、上方向または下方向を示す十字キーボタン１２が押下操作されたときにはカーソルの位置している「昼光色」、「昼白色」、「白色」の文字列の位置でサイクリックに移動させる。この選択枝は被写体を照らしている光源である蛍光灯の発光色を示している。
【００７８】
ここでＯＫボタン１４が押下操作されたときには、ホワイトバランス調整機能における調整の基準となる白色の色彩の設定をそのときのカーソル位置に応じて確定させる。
図５（５）（ｃ）の画面はホワイトバランス調整機能の動作モードとして「ワンタッチ」が選択されているときにおける画面である。この画面は、撮像中のスルー画像における白色部分の領域（例えば白色の紙の画像）をワイトバランス調整機能における調整の基準となる白色の色彩とするための画面であり、ここでＯＫボタン１４が押下操作されたときには、表示中のスルー画像における白色の色彩がワイトバランス調整機能における調整の基準として記憶される。
【００７９】
デジタルカメラ１には以上のような各種の設定メニュー画面が用意されている。
次に図６について説明する。同図は、ダイレクトボタンに対する押下操作が検出されたときにＣＰＵ２９によって行われる制御処理の処理内容を示すフローチャートである。
【００８０】
まず、Ｓ１０１において、押下操作が検出されたダイレクトボタンの種類の検出が行われる。
Ｓ１０２では画像表示処理部２８に指示を与え、Ｓ１０１の処理による検出結果に対応する機能についての動作モード選択画面（図３に例示した画面）を画像モニタ３に表示させ、現在選択されている動作モードをその動作モード選択画面で示す。
【００８１】
Ｓ１０３ではジョグダイアル１１に対する回転操作が検出されたか否かが判定される。この判定結果がＹｅｓならばＳ１０４においてその回転操作に応じて動作モードの選択を変更し、その変更後の動作モードを表示中の動作モード選択画面で示す。この処理を終えた後にはＳ１０８に処理が進む。
【００８２】
一方Ｓ１０３の判定処理の結果がＮｏならば、Ｓ１０５においてメニューボタン１３に対する押下操作が検出されたか否かが判定され、この判定結果がＹｅｓのときにのみ、Ｓ１０６において画像表示処理部２８に指示を与え、Ｓ１０１の処理による検出結果に対応する機能における現在選択されている動作モードについての設定メニュー画面（図４や図５に例示した画面）を画像モニタ３に表示させ、続くＳ１０７において、この設定メニュー画面と十字キーボタン１２及びＯＫボタン１４とを利用したこの動作モードについての動作条件設定処理を行う。
【００８３】
なお、Ｓ１０５の判定処理の結果がＮｏのとき、または現在選択されている動作モードについての設定メニュー画面が存在しないときには、Ｓ１０６及びＳ１０７の処理を行わずに処理をＳ１０８に進める。
Ｓ１０８では、ダイレクトボタンに対する押下操作が終了しているか否かが判定され、この判定結果がＹｅｓならばこの制御処理を終了する。一方、この判定結果がＮｏならばＳ１０３へ処理が戻って上述した処理が繰り返される。
【００８４】
以上までの処理がＣＰＵ２９によって行われることにより、このデジタルカメラ１においてダイレクトボタンが操作されたときに行わせる前述した動作が可能となる。
以下、上述した実施形態の変形例について説明する。
【００８５】
前述した実施形態においてはデジタルカメラ１がジョグダイアル１１を有しており、ジョグダイアル１１に対する回転操作によってデジタルカメラ１の有する各機能における動作モードの選択の変更を行っていたが、ダイレクトボタンの押下を繰り返すことによって動作モードの選択の変更をサイクリックに変更するようにすれば、部品コストの比較的高いジョグダイアル１１をデジタルカメラ１から削除することができる。
【００８６】
例えば、デジタルカメラ１が撮影可能な状態で動作しているときにフラッシュボタン６が押下操作されて図３（ａ）に示すフラッシュ発光機能についての動作モード選択画面を表示させているときには、フラッシュボタン６の押下操作が終了する度にその動作モードの選択を例えば「赤目」→「強制」→「ＳＬＯＷ」→「禁止」→「ＡＵＴＯ」→「赤目」→…という順でサイクリックに切り替えるようにし、フラッシュボタン６の押下操作が継続している状態においてメニューボタン１３が押下操作されたときには、図４（１）に示したような設定メニュー画面へと画像モニタ３の表示を切り替えるようにする。
【００８７】
この他、デジタルカメラ１においては、合焦機能の動作モードの選択では、ＡＦ／ＭＦボタン７の押下操作が終了する度に「ＡＦ」と「ＭＦ」との間で切り替えるようにし、レリーズボタン５に対する押下操作に応じて行われる撮影機能の動作モードの選択では、ドライブボタン８の押下操作が終了する度に例えば「単写」→「連写」→「ＡＦ連写」→「ブラケット」→「セルフタイマ」→「単写」→…という順でサイクリックに切り替えるようにし、記録画像の画質調整機能の動作モードの選択では、画質モードボタン９の押下操作が終了する度に例えば「ＴＩＦＦ」→「ＳＨＱ」→「ＨＱ」→「ＳＱ」→「ＴＩＦＦ」→…という順でサイクリックに切り替えるようにし、ホワイトバランス調整機能の動作モードの選択では、ホワイトバランスボタン１０の押下操作が終了する度に例えば「ＡＵＴＯ」→「晴天」→「曇天」→「電球」→「蛍光灯」→「ワンタッチ」→「ＡＵＴＯ」→…という順でサイクリックに切り替えるようにする。
【００８８】
動作モードの選択を上述したように行えるようにするには、図６に示したフローチャートにおけるＳ１０３の判定処理を変更し、ダイレクトボタンに対する押下操作が終了しているか否かの判定をＣＰＵ２９に行わせるようにすればよい。
ところで、前述した実施形態では、ダイレクトボタンの押下操作が継続している状態においてメニューボタン１３が押下操作されたときに画像モニタ３に表示される設定メニュー画面は、それまで表示されていた動作モード選択画面によって選択されていることが示されている動作モードに応じ、その動作モードで設定することが可能な動作条件の項目のみが示されている画面としていたが、動作モードの選択とは無関係に、ダイレクトボタンの押下操作によって特定される機能において選択し得る各動作モードにおいて設定することが可能な動作条件の項目の全てを設定することのできる画面を設定メニュー画面として用いるようにしてもよい。
【００８９】
例えば、フラッシュボタン６の押下操作が継続している状態においてメニューボタン１３が押下操作されたときに表示される設定メニュー画面の画面例を図７（ａ）に示す。このときには、動作モードとして「赤目」、「強制」、「ＳＬＯＷ」、「禁止」、「ＡＵＴＯ」のいずれが選択されていても同図の画面を表示させる。
【００９０】
この画面は図４（１）（ｂ）▲１▼の画面と同一であり、この画面を表示させている状態における十字キーボタン１２やＯＫボタン１４に対する操作に基づいたデジタルカメラ１の動作は、図４（１）（ｂ）について説明したものと同様とする。
【００９１】
図７（ｂ）は、ＡＦ／ＭＦボタン７の押下操作が継続している状態においてメニューボタン１３が押下操作されたときに表示される設定メニュー画面の画面例である。このときには、動作モードとして「ＡＦ」または「ＭＦ」のどちらが選択されていても同図の画面を表示させる。
【００９２】
この画面は、タイトルの違いを除けば図４（２）（ａ）▲１▼の画面と同一であり、この画面を表示させている状態における十字キーボタン１２やＯＫボタン１４に対する操作に基づいたデジタルカメラ１の動作は、図４（２）（ａ）について説明したものと同様とする。
【００９３】
図７（ｃ）は、ドライブボタン８の押下操作が継続している状態においてメニューボタン１３が押下操作されたときに表示される設定メニュー画面の画面例である。
このときには、動作モードとして「単写」、「連写」、「ＡＦ連写」、「ブラケット」、「セルフタイマ」のいずれが選択されていても同図▲１▼の画面をまず表示させる。
【００９４】
この▲１▼の画面が表示されている状態において、上方向または下方向を示す十字キーボタン１２が押下操作されたときにはカーソルの位置を「ブラケット設定」の文字列の位置と「セルフタイマ時間」の文字列の位置との間で交互に移動させる。
【００９５】
カーソルの位置が「ブラケット設定」の文字列の位置にあるときに右方向を示す十字キーボタン１２が押下操作されたときには画面を▲２▼に示すものへ変更する。この▲２▼の画面は図５（３）（ａ）▲１▼の画面と同一であり、この画面を表示させている状態における十字キーボタン１２やＯＫボタン１４に対する操作に基づいたデジタルカメラ１の動作は、図５（３）（ａ）について説明したものと同様とする。
【００９６】
一方、図７（ｃ）▲１▼の画面において「セルフタイマ」の文字列の位置にあるときに右方向を示す十字キーボタン１２が押下操作されたときにはカーソルを「５」の数値の位置に移動させる。以降の十字キーボタン１２やＯＫボタン１４に対する操作に基づいたデジタルカメラ１の動作は、図５（３）（ｂ）について説明したものと同様とする。
【００９７】
図７（ｄ）は、画質モードボタン９の押下操作が継続している状態においてメニューボタン１３が押下操作されたときに表示される設定メニュー画面の画面例である。
このときには、動作モードとして「ＴＩＦＦ」、「ＳＨＱ」、「ＨＱ」、「ＳＱ」のいずれが選択されていてもこの画面をまず表示させる。
【００９８】
この画面が表示されている状態において、上方向または下方向を示す十字キーボタン１２が押下操作されたときにはカーソルの位置を「ＴＩＦＦ設定」の文字列の位置と「ＳＱ設定」の文字列の位置との間で交互に移動させる。
カーソルの位置が「ＴＩＦＦ設定」の文字列の位置にあるときに右方向を示す十字キーボタン１２が押下操作されたときには画面を図５（４）（ａ）に示すものへ変更する。この画面を表示させている状態における十字キーボタン１２やＯＫボタン１４に対する操作に基づいたデジタルカメラ１の動作は、図５（４）（ａ）について説明したものと同様とする。
【００９９】
一方、カーソルの位置が「ＳＱ設定」の文字列の位置にあるときに右方向を示す十字キーボタン１２が押下操作されたときには画面を図５（４）（ｂ）に示すものへ変更する。この画面を表示させている状態における十字キーボタン１２やＯＫボタン１４に対する操作に基づいたデジタルカメラ１の動作は、図５（４）（ｂ）について説明したものと同様とする。
【０１００】
図７（ｅ）は、ホワイトバランスボタン１０の押下操作が継続している状態においてメニューボタン１３が押下操作されたときに表示される設定メニュー画面の画面例である。
このときには、動作モードとして「ＡＵＴＯ」、「晴天」、「曇天」、「電球」、「蛍光灯」、「ワンタッチ」のいずれが選択されていてもこの画面をまず表示させる。
【０１０１】
この画面が表示されている状態において、上方向または下方向を示す十字キーボタン１２が押下操作されたときにはカーソルの位置を「ＷＢ補正」の文字列の位置、「蛍光灯選択」の文字列の位置、及び「ワンタッチ測定」の文字列の位置の間で交互に移動させる。
【０１０２】
カーソルの位置が「ＷＢ補正」の文字列の位置にあるときに右方向を示す十字キーボタン１２が押下操作されたときにはカーソルを「±０．０」の数値の位置に移動させる。以降の十字キーボタン１２やＯＫボタン１４に対する操作に基づいたデジタルカメラ１の動作は、図５（５）（ａ）について説明したものと同様とする。
【０１０３】
一方、カーソルの位置が「蛍光灯選択」の文字列の位置にあるときに右方向を示す十字キーボタン１２が押下操作されたときにはカーソルを「昼白色」の文字列の位置に移動させる。以降の十字キーボタン１２やＯＫボタン１４に対する操作に基づいたデジタルカメラ１の動作は、図５（５）（ｂ）▲２▼について説明したものと同様とする。
【０１０４】
また、カーソルの位置が「ワンタッチ測定」の文字列の位置にあるときに右方向を示す十字キーボタン１２が押下操作されたときには図５（５）（ｃ）に示されている画面を画像モニタ３に表示させる。以降の十字キーボタン１２やＯＫボタン１４に対する操作に基づいたデジタルカメラ１の動作は、図５（５）（ｃ）について説明したものと同様とする。
【０１０５】
なお、ここではデジタルカメラでの実施形態についての説明を行ったが、本発明をいわゆる銀塩カメラで実施することも勿論可能である。
その他、本発明は、上述した実施形態に限定されることなく、種々の改良・変更が可能である。
【０１０６】
【発明の効果】
以上詳細に説明したように、本発明は、カメラに備えられている機能毎に対応付けて個別に設けられており該機能の選択をするために操作される機能選択部と、該機能を動作させるときの動作方式の選択のために操作される動作方式選択部とが同時に操作されたときには、機能選択部に対してなされた操作に応じて選択される該機能を動作させるときの動作方式の選択が該動作方式選択部に対してなされた操作に応じて行われるようにし、該機能選択部と、該機能を動作させる該動作方式における動作条件の設定のために操作される動作条件設定部とが同時に操作されたときには、該機能選択部に対してなされた操作に応じて選択される該機能についてそのときに選択がされていた該動作方式についての該動作条件の設定が該動作条件設定部に対する操作に応じて行われるようにする。
【０１０７】
あるいは、本発明は、該機能選択部が単独で繰り返し操作されたときには、該機能選択部に対してなされた操作に応じて選択される該機能を動作させるときの動作方式の選択を該機能選択部に対してなされた操作の繰り返しに応じて行われるようにし、該機能選択部と、該動作条件設定部とが同時に操作されたときには、該機能選択部に対してなされた操作に応じて選択される該機能についてそのときに選択がされていた該動作方式についての該動作条件の設定が該動作条件設定部に対する操作に応じて行われるようにする。
【０１０８】
本発明は、上述したようにすることにより、カメラの撮影動作条件の細かな設定を容易に行うことができるようになるという効果を奏する。
【図面の簡単な説明】
【図１】本発明を実施するデジタルカメラの外観図である。
【図２】図１に示したデジタルカメラの内部構成を示す図である。
【図３】動作モード選択画面の画面例を示す図である。
【図４】設定メニュー画面の画面例を示す図（その１）である。
【図５】設定メニュー画面の画面例を示す図（その２）である。
【図６】ダイレクトボタンに対する押下操作が検出されたときにＣＰＵによって行われる制御処理の処理内容を示すフローチャートである。
【図７】設定メニュー画面の画面例を示す図（その３）である。
【符号の説明】
１　デジタルカメラ
２　コントロールパネル
３　画像モニタ
４　鏡胴
５　レリーズボタン
６　フラッシュボタン
７　ＡＦ／ＭＦボタン
８　ドライブボタン
９　画質モードボタン
１０　ホワイトバランスボタン
１１　ジョグダイアル
１２　十字キーボタン
１３　メニューボタン
１４　ＯＫボタン
２１　撮影レンズ
２２　ＣＣＤ
２３　Ａ／Ｄ変換部
２４　撮影制御処理部
２５　映像処理部
２６　圧縮／伸張処理部
２７　メモリカード
２８　画像表示処理部
２９　ＣＰＵ
３０　操作入力部
３１　ＡＦ情報検出処理部
３２　ＡＦ駆動部
３３　ＡＥ情報検出処理部
３４　ＷＢ情報検出処理部
３５　ＷＢ設定処理部
３６　フラッシュ発光制御部
３７　フラッシュ
【図１】
2004080478.tif 000003
【図２】
2004080478.tif 000004
【図３】
2004080478.tif 000005
【図４】
2004080478.tif 000006
【図５】
2004080478.tif 000007
【図６】
2004080478.tif 000008
【図７】
2004080478.tif 000009